(57)【要約】      （修正有）【課題】その長手方向に所定ピッチで送り孔が連続的に開けてある帯状物を２本、前記長手方向に沿って一前一後に且つ送り孔のピッチが正しくて接続する、という仕事を迅速にさせる治具を提供する。【解決手段】その長手方向に所定ピッチで送り孔が連続的に開けてある帯状物を２本、前記長手方向に沿って一前一後に接続するために使用される治具であって、前記帯状物の前の一本の末端部と後ろの一本の前端部とを同時に下から順応に当てて保持することができる上、その前記保持時に前記末端部と前記前端部が互いに重なる予定のところに、前記一前一後に接続される帯状物の予定の延伸方向を横断し且つその両端の少なくとも一端にも開口をした開槽が開けてある上面を有する台座と、前記台座の上面から、２本の帯状物の送り孔を下から貫通して該２本の帯状物をそれらの長手方向が一致になるように配列させることができる複数の位置決めピンとからなっている送り孔付き帯状物の接続用治具。【選択図】図１
0003118004.tif 000002
【実用新案登録請求の範囲】
【請求項１】
その長手方向に所定ピッチで送り孔が連続的に開けてある帯状物を２本、前記長手方向に沿って一前一後に接続するために使用される治具であって、
前記帯状物の前の一本の末端部と後ろの一本の前端部とを同時に下から順応に当てて保持することができる上、その前記保持時に前記末端部と前記前端部が互いに重なる予定のところに、前記一前一後に接続される帯状物の予定の延伸方向を横断し且つその両端の少なくとも一端にも開口をした開槽が開けてある上面を有する台座と、
前記台座の上面から、前記予定の延伸方向に沿い、且つそれらのいずれかの隣り合っている２本の距離が前記送り孔の所定ピッチの整数倍になる列になるように突出していて前記のように保持される２本の帯状物の送り孔を下から貫通して該２本の帯状物をそれらの長手方向が一致になるように配列させることができる複数の位置決めピンとからなっていることを特徴とする送り孔付き帯状物の接続用治具。
【請求項２】
前記台座の上面の前記開槽の両側に、前記２本の帯状物をそれらの長手方向が一致になり且つ前記末端部と前記前端部とが互いに重なるように配列させて保持した後、該２本の帯状物をそれぞれ固定し、それらの重なった部分を密着させるための固定手段が設けてあることを特徴とする請求項１に記載の送り孔付き帯状物の接続用治具。
【請求項３】
前記台座の上面はほぼ矩形平面になり、前記複数の位置決めピンは該矩形平面の左右両辺の一つに沿って並び、且つ、前記開槽の前記少なくとも一端にある開口は少なくともこの一辺を含んでいる一面になっていることを特徴とする請求項２に記載の送り孔付き帯状物の接続用治具。
【請求項４】
前記台座の前記一辺を含んでいる一面に前記開槽と連続して一体になっており且つ前記末端部と前記前端部とが互いに重なる予定位置の少なくとも一部の前後所定の範囲内を開放させている切欠きが形成してあることを特徴とする請求項３に記載の送り孔付き帯状物の接続用治具。
【考案の詳細な説明】
【技術分野】
【０００１】
本考案は、その長手方向に所定ピッチで送り孔が連続的に開けてある帯状物を２本、前記長手方向に沿って一前一後に接続するために使用される治具に関し、即ち送り孔付き帯状物の接続用治具に関する。
【背景技術】
【０００２】
送り孔付き帯状物の用途は、多種多様である。例えば、フイルムや計算機用連続的ペーパなどのそれ自体が連続的に送り出されるもの、ないしそれによって小物を載置しながら工作機械へ搬送・供給するものが挙げられる。このような送り孔付き帯状物は、ステップバイステップの所定時間や距離で寸進しなければならないので、その送り孔は、通常、歯車の回転で運ばれるよう、その長手方向に所定ピッチで連続的に開けられている。
【０００３】
しかしながら、どんな長いものであっても、使い尽くされる時があり、不意に裂かれた時がある。その時、仕事がなるべく中止されないよう、それを手早く接続する必要がある。ところが、この仕事中の瞬間にこの前後２本の帯状物を方向一致に且つ送り孔のピッチが正しくて接続するのが容易ではない。
【考案の開示】
【考案が解決しようとする課題】
【０００４】
前記問題に鑑みて、本考案は、その長手方向に所定ピッチで送り孔が連続的に開けてある帯状物を２本、前記長手方向に沿って一前一後に且つ送り孔のピッチが正しくて接続する、という仕事を迅速にさせる治具を提供することを目的とする。
【課題を解決するための手段】
【０００５】
前記目的を達成するために、本考案は、その長手方向に所定ピッチで送り孔が連続的に開けてある帯状物を２本、前記長手方向に沿って一前一後に接続するために使用される治具であって、前記帯状物の前の一本の末端部と後ろの一本の前端部とを同時に下から順応に当てて保持することができる上、その前記保持時に前記末端部と前記前端部が互いに重なる予定のところに、前記一前一後に接続される帯状物の予定の延伸方向を横断し且つその両端の少なくとも一端にも開口をした開槽が開けてある上面を有する台座と、前記台座の上面から、前記予定の延伸方向に沿い、且つそれらのいずれかの隣り合っている２本の距離が前記送り孔の所定ピッチの整数倍になる列になるように突出していて前記のように保持される２本の帯状物の送り孔を下から貫通して該２本の帯状物をそれらの長手方向が一致になるように配列させることができる複数の位置決めピンとからなっていることを特徴とする送り孔付き帯状物の接続用治具を提供する。
【考案の効果】
【０００６】
前記構成による治具では、前記台座及びその複数の位置決めピンで前記２本の帯状物をそれらの長手方向が一致になり且つ前記末端部と前記前端部とが互いに重なるように配列させて保持することができるので、鋏を前記開槽内に挿入し、前記末端部と前記前端部とを切断により修整したり指を差し込んでテープで前記末端部と前記前端部とを互いに接着させたりし、前記２本の帯状物を前記送り孔の所定ピッチの連続性が乱れないように正確に接続することができるうえ、目測などの手間を必要としないため、作業員にとって楽になり、初心者であっても、すぐに迅速で上手にこの接続作業を行うことができる。
【考案を実施するための最良の形態】
【０００７】
本考案を図式に示す実施形態に基づいて詳細に説明する。図１は、本考案にかかる送り孔付き帯状物の接続用治具の好ましい実施形態の分解斜視図である。図２は、該実施形態における台座で、接続される２本の帯状物を下から保持した状態を示す斜視図である。図３は、該実施形態における固定手段で、前記のように保持された２本の帯状物を固定し密着させた状態を示す斜視図である。図４は、前記過程に続いて、前記２本の帯状物を切断により端部が互いに突き当たるように修整した後、テープで切断された前記２本の帯状物を互いに接着させる過程を説明する図面である。
【０００８】
図１及び図２に示すように、本考案にかかる送り孔付き帯状物の接続用治具１は、その長手方向に所定ピッチで送り孔２１が連続的に開けてある帯状物２００を２本、長手方向に沿って一前一後に接続するために使用されるものである。この接続用治具１は、主として台座１１と４本の位置決めピン１２、１２Ｉ、１２II、１２IIIとからなっている。
【０００９】
台座１１は、ほぼ矩形平面であって、帯状物２００の前の一本の末端部と後ろの一本の前端部とを同時に下から順応に当てて保持することができる上、その前記保持時に前記末端部と前記前端部が互いに重なる予定のところに、前記一前一後に接続される帯状物２００の予定の延伸方向Ｉを横断し且つその両端１１１Ａ、１１１Ｂにも開口をした開槽１１１が開けてある上面１１２を有する。
【００１０】
４本の位置決めピン１２、１２Ｉ、１２II、１２IIIは、上面１１２の、開槽１１１の一端１１１Ａにある一辺１１２Ａの傍に予定の延伸方向Ｉに沿い、且つそれらのいずれかの隣り合っている２本の距離が送り孔２１の所定ピッチの整数倍（例えば、図２から見えるように位置決めピン１２と１２Ｉとの距離が送り孔２１の所定ピッチの８倍であり、位置決めピン１２Ｉと１２IIとの距離が送り孔２１の所定ピッチの４倍である）になる列になるように台座１１の上面１１２から突出していて前記のように保持される２本の帯状物２００の送り孔２１を下から貫通して該２本の帯状物２００をそれらの長手方向が一致になるように配列させることができるようになっている。
【００１１】
本実施形態において、位置決めピン１２（１２Ｉ、１２II、１２III）は４本設けられているが、これに限定されず、適当に４本以上に設けられても良い。
【００１２】
さらに、開槽１１１の一端１１１Ａにある開口は前記一辺１１２Ａを含んでいる一面になっており、且つ台座１１の前記一辺１１２Ａを含んでいる一面１１３に開槽１１１と連続して一体になっており且つ前記末端部と前記前端部とが互いに重なる予定の位置の大部分の前後所定の範囲内を開放させている切欠き１１４が形成してある。この切欠き１１４があるため、図４に示すように、切断された前記２本の帯状物２００を互いに接着させる時に、上方からのはもちろん、下方からも帯状物２００を引っ繰り返さずにテープ３で接着させることができる。
【００１３】
また、台座１１の上面１１２の開槽１１１の両側に固定手段１３、１３が設けてある。図１に示すように、固定手段１３、１３それぞれは、台座１１内に上下移動且つ回動可能に装着されたロッド１３１と、該ロッド１３１の上端に連結されたノブ１３３付き押圧ヘッド１３２と、台座１１内にロッド１３１が挿入されて押圧ヘッド１３２を下方に付勢する付勢機構１３４とを備えている。使用時に、図２に示すように、各押圧ヘッド１３２のノブ１３３を掴んで上へ引っ張ってから押圧ヘッド１３２を側辺に回動させ、そして前記２本の帯状物２００をそれらの長手方向が一致になり且つ前記末端部と前記前端部とが互いに重なるように配列させて保持した後、図３に示すように、各押圧ヘッド１３２を元の位置に回動させて該２本の帯状物２００をそれぞれ固定し、それらの重なった部分を密着させれば良い。
【００１４】
前記過程に続いて、前記固定手段１３、１３で固定し密着させた２本の帯状物２００を開槽１１１内に鋏を挿入し、切断することにより端部が互いに突き当たるように修整した後、前述のように切欠き１１４を介して前記のような接着を行なうことができる（図４参照）。
【００１５】
本考案は前記実施形態のみを選択して説明したが、本考案の要旨を逸脱しない範囲において、種々の適宜な変化又は変形が可能である。
【産業上の利用可能性】
【００１６】
以上説明したように、本考案の送り孔付き帯状物の接続用治具によれば、その長手方向に所定ピッチで送り孔が連続的に開けてある帯状物を２本、前記長手方向に沿って一前一後に且つ送り孔のピッチが正しくて接続することができるうえ、目測などの手間を必要としないため、作業員にとって楽になり、初心者であっても、すぐに迅速で上手にこの接続作業を行うことができる。
【図面の簡単な説明】
【００１７】
【図１】本考案にかかる送り孔付き帯状物の接続用治具の好ましい実施形態の分解斜視図。
【図２】該実施形態における台座で、接続される２本の帯状物を下から保持した状態を示す斜視図。
【図３】該実施形態における固定手段で、前記のように保持された２本の帯状物を固定し密着させた状態を示す斜視図。
【図４】前記過程に続いて、前記２本の帯状物を切断により端部が互いに突き当たるように修整した後、テープで切断された前記２本の帯状物を互いに接着させる過程を説明する図面。
【符号の説明】
【００１８】
１        送り孔付き帯状物の接続用治具
１１      台座
１１１    開槽
１１１Ａ  開槽の一端
１１１Ｂ  開槽の他端
１１２    上面
１１２Ａ  一辺
１１３    一面
１１４    切欠き
１２      位置決めピン
１２Ｉ    位置決めピン
１２II    位置決めピン
１２III   位置決めピン
１３      固定手段
１３１    ロッド
１３２    押圧ヘッド
１３３    ノブ
１３４    付勢機構
２        送り孔
２００    帯状物
【図１】
0003118004.tif 000003
【図２】
0003118004.tif 000004
【図３】
0003118004.tif 000005
【図４】
0003118004.tif 000006